(57)【特許請求の範囲】
【請求項１】
永久磁石を有する留め具が基端部に固設された直線状のピンと、前記ピンを串刺することで前記留め具の下側に配設される断熱性スペーサと、前記ピンが貫通し得る透孔および鉤状突刺部が形成されたズレ止用板片と、断熱性天井板と、前記ピンの先端部に固着されるピン止め用キャップとを備え、
前記断熱性天井板に前記鉤状突刺部を突刺することで前記ズレ止用板片を該断熱性天井板の上面に移動不能に固着し、前記透孔から前記ピンを前記断熱性天井板に貫通させることで該断熱性天井板の下面に突出した該ピンの先端部に前記ピン止め用キャップを固着し、前記永久磁石の磁力で前記留め具を屋根材に磁着することで該屋根材の内側に前記断熱性天井板を張設すること
を特徴とする内貼り断熱工法。
【請求項２】
前記ピン止め用キャップは中心部にて交差するように複数の切れ目が放射状に形成された弾性板を器体の開口縁に固着してなるものであり、前記断熱性天井板の下面に突出した前記ピンを前記弾性板の中心に貫通させることで該ピンの先端部に前記ピン止め用キャップを固着するようにしたことを特徴とする請求項１記載の内貼り断熱工法。
【発明の詳細な説明】
【技術分野】
【０００１】
本発明は、建築物の屋根や壁の内側に断熱性板を張設する内貼り断熱工法に関するものである。
【背景技術】
【０００２】
工場や体育館等の屋根として広く用いられている鉄板等の金属製の屋根材は、断熱性が乏しいため、その内側に発泡プラスチックやグラスウール、石膏ボード等の断熱性天井板を貼ることで室内の美観と同時に断熱性が確保されるようにしている。
ところで、従来の天井板は吊金具を屋根材に引っ掛けることにより吊下したものであったので、地震時の振動によって吊金具がずれ易く、引掛が外れることにより天井板が落下し、重大な事故を引き起こすことがあった。
また、一般に吊天井の構造を頑強にすると、材料費が高くなるとともに施工に手間が掛かるので建設コストが高くなると同時に天井部が重くなるので、かえって耐震性が損なわれるといった問題がある。
【０００３】
一方、下記特許文献１には、天井板の裏面に薄板状の磁石板を埋設し、該磁石板を天井に配設された鉄骨下地に磁着させて仮止した後、該天井板をビス止めする天井板の取付方法が示されている。
また、本発明者の発明に係る下記特許文献２に示された天井板の内貼り断熱工法は、永久磁石を有する留め具が基端部に固設された直線状のピンを天井板に貫通させ、該ピンの先端にキャップ（カバー）を止着するとともに、該留め具を折板屋根等の建築物の屋根材に永久磁石の磁力で磁着することで、該屋根材の内側に該天井板を張設し得るようにしたものである。
【先行技術文献】
【特許文献】
【０００４】
【特許文献１】特開平７−３３１７９２号公報
【特許文献２】特開２００８−１９０３１１号公報
【発明の概要】
【発明が解決しようとする課題】
【０００５】
ところで、特許文献１に示されたように磁石板を天井板の裏面に直接埋設する構造では、天井板に埋設のための孔を加工しなければならないなど、非常に手間が掛かるという問題がある。
一方、特許文献２に示された天井板の内貼り断熱工法では、天井板にピンを貫通させるだけでよいので、施工が容易であり短期間で天井板を内貼りできる利点がある。しかしながら、一般に天井板として使用される発泡プラスチックやグラスウール、石膏ボード等の断熱性天井板は、脆くて柔らかいので、上記のようにピンを貫通させるとそのピンの周囲の組織が破壊されたり収縮してピン孔が大きくなり、長期的には天井板をしっかりと支えられなくなるおそれがあった。
【課題を解決するための手段】
【０００６】
本発明に係る内貼り断熱工法は上記課題を解決しようとするもので、永久磁石を有する留め具が基端部に固設された直線状のピンと、前記ピンを串刺することで前記留め具の下側に配設される断熱性スペーサと、前記ピンが貫通し得る透孔および鉤状突刺部が形成されたズレ止用板片と、断熱性天井板と、前記ピンの先端部に固着されるピン止め用キャップとを備え、前記断熱性天井板に前記鉤状突刺部を突刺することで前記ズレ止用板片を該断熱性天井板の上面に移動不能に固着し、前記透孔から前記ピンを前記断熱性天井板に貫通させることで該断熱性天井板の下面に突出した該ピンの先端部に前記キャップを固着し、前記永久磁石の磁力で前記留め具を屋根材に磁着することで該屋根材の内側に前記断熱性板を張設することを特徴とする。
【０００７】
また、本発明に係るピン止め用キャップは、上記内貼り断熱工法に使用されるものであって、中心部にて交差するように複数の切れ目が放射状に形成された弾性薄板を器体の開口縁に固着してなることを特徴とする。
【発明の効果】
【０００８】
本発明に係る内貼り断熱工法によれば、断熱性天井板を地震に強く長期間に亘ってしっかりと支えることができ、しかも、短い工期で簡単に施工することができコストが軽減される。
【図面の簡単な説明】
【０００９】
【図１】本発明に係る内貼り断熱工法に使用される部材の分解斜視図。
【図２】本発明に係る内貼り断熱工法を施した要部の縦断面図。
【発明を実施するための最良の形態】
【００１０】
図１に示した吊り部材１は、鉄板等の材料をプレス成形することにより上面が開口した円形碗形なるように留め具２を成形し、該留め具２の中心部に直線状のピン３の基端部５を貫挿してカシメ止めすることにより、該ピン３の基端部５に該留め具２を固着し、該留め具２内にリング状に形成された永久磁石６を適宜接着材によって固着してなる。断熱性スペーサ７はウレタン等の発泡プラスチック製の角形小片からなるもので、該断熱性スペーサ７に前記ピン３を串刺することで、前記留め具２の下側に該断熱性スペーサ７が串刺状態にて配設される。
【００１１】
断熱性天井材１０は、厚さ１０ｍｍ程度の板状に成形された発泡フェノール樹脂１１の両面にアルミニウム箔からなる輻射熱反射用シート１２，１３を貼付してなる軽量で断熱性が高いパネルで、例えば、旭化成建材株式会社から商品名「ネオマフォームＦ」（商標）として販売されているものが使用される。
【００１２】
また、ズレ止用板片１５は、正方形状の金属製薄板の中心部に前記ピン３が挿通し得る小さな透孔１６を開設するとともに、該金属製薄板の４つの角部を全て下方に直角に折り曲げることにより四隅に三角形状の鉤状突刺部１７を形成してなる。該ズレ止用板片１５を前記断熱性天井材１０の上面に配設し、前記鉤状突刺部１７を該断熱性天井材１０中に突刺することにより、該断熱性天井材１０の上面に移動不能に止着する。
【００１３】
ピン止め用キャップ２０は、プラスチック製の半球殻状の器体２１の開口縁の内周に形成された溝２１ａに金属製の円形薄板からなる弾性板２２が固着され、該弾性板には複数本の切れ目２３が中心部にて交差するように放射状に入っていて、該切れ目により分離する複数の三角形状の弾性片２４が形成されたものである。
【００１４】
図２に示したように、前記ズレ止用板片１５を断熱性天井材１０の上面に止着したうえで、該ズレ止用板片１５の透孔１６に前記ピン３を差し込み、該ピン３を該断熱性天井板１０に貫通させる。そして該断熱性天井板１０の下面に突出した該ピン３の先端部に前記ピン止め用キャップ２０を押し込み、前記弾性板２２の切れ目２３が交差する中心に該ピン３を貫通する。こうすると、複数の弾性片２４の三角形状の先端部が該ピン３に当接し、該各弾性片２４は弾性的に下方に撓った状態で該ピン３の外側面に係合する。このため、該ピン止め用キャップ２０はこのようにいったん押し込むことで該ピン３から抜けることなく該ピンに止着され、該ピン止め用キャップ２０によって該断熱性天井板１０が確実に支持される。
【００１５】
なお、通常の大きさの断熱性天井板、即ち、１８０ｃｍ×９０ｃｍの天井板に対しては、このような吊り部材１，断熱性スペーサ７，ズレ止用板片１５，キャップ２０からなる吊下手段を適宜間隔を離して９か所程度取り付けるのがよい。そして、こうした吊下手段を取り付けた断熱性天井板を現場にて上方に持ち上げることで、各留め具２に設けられた永久磁石６が建築物の折板構造の屋根材２５等に磁着し、該断熱性天井板１０が吊下状に支持される。同様に必要な枚数の断熱性天井板１０を吊り下げて該建築物の天井一面に張設する。この工法ではこのように必要な数の吊下手段（６〜９か所で十分である）を予め断熱性天井板１０に設け、該断熱性天井板１０を持ち上げて屋根材２５に留め具２を磁着させればよく、従来のような高所作業を殆ど要さないので、少人数で安全に短期間で内貼り工事を完了し得る。ちなみに、この吊下手段では、通常のもので一つあたり２ｋｇの保持力が得られるので、１８０ｃｍ×９０ｃｍの大きさで比較的重量がある断熱性天井板を吊下する場合でも、この吊下手段を６〜９か所設けることで落下するおそれなく十分な安全性が得られる。
【００１６】
このように断熱性天井板１０は永久磁石３により支持されるので、屋根材２５が大きく揺れるような地震時でも、その屋根材２５に対する永久磁石６の磁着位置が左右にずれるだけで、通常の磁力を有する永久磁石を使用しておれば、留め具２が屋根材２５から離脱してしまうおそれは殆どない。このため、大きな地震があって断熱性天井板１０が落下するような事故が発生するおそれは殆どなく安全性が高い。
しかも、既存の断熱性天井板１０に対しズレ止用板片１５を移動不能に止着したうえでピン３を該断熱性天井板１０に貫通したので、該ピン３を貫通したことによる該断熱性天井板１０の損傷が防止され、該断熱性天井板１０を長期間に亘りしっかりと支えることができ、安全性が一層向上する。
【００１７】
また、本発明に係るピン止め用キャップ２０は、放射状の切れ目により分離された複数の弾性片２４が差し込むだけでピン３に緩みなく係合することで、断熱性天井板１０をしっかりと支持し得るので、工事を容易にするとともに工期を短縮させる。
さらに、各部材は軽量に製作でき、屋根材に掛かる荷重も最小限に抑えられるので、既存の建築物に内貼りするに際しても耐震性が担保される。
なお、本発明に係る内貼り断熱工法は、天井板を内貼りするだけでなく、建築物の壁面に断熱板を内貼りする際にも適用することができる。
【符号の説明】
【００１８】
１    吊り部材
２    留め具
３    ピン
５    基端部
６    永久磁石
７    断熱性スペーサ
１０  断熱性天井材
１５  ズレ止用板片
１６  透孔
１７  鉤状突刺部
２０  ピン止め用キャップ
２１  器体
２２  弾性板
２３  切れ目
２４  弾性片
２５  屋根材
【図１】
0006570842.tif 000002
【図２】
0006570842.tif 000003